(57)【要約】【課題】家屋等への侵入者に目立つことなく設置でき、手間を掛けずに侵入者の有無を判定することができて安心感を得ることの可能な防犯装置を提供する。【解決手段】  防犯装置３００は、人を検知する人感センサ部３１０と、人感センサ部３１０による検知を開始する操作を行うための開始操作部３２０と、人感センサ部３１０による検知の回数をカウントする検知回数カウント部３３０と、検知回数カウント部３３０によりカウントされた回数に応じた結果を表示する結果表示部３４０と、結果表示部３４０に結果を表示させる操作を行うための表示操作部３５０と、人感センサ部３１０による検知からの経過時間を表示する経過時間表示部３６０を備える。侵入者の有無のみを判定するものであるため、簡易な構成とすることができる。また、結果表示部の表示によって、手間を掛けずに侵入者の有無を判定することができる。【選択図】図６
2015230718.tif 000002
【特許請求の範囲】
【請求項１】
人を検知する人感センサ部と、
前記人感センサ部による検知を開始する操作を行うための開始操作部と、
前記人感センサ部による検知の回数をカウントする検知回数カウント部と、
前記検知回数カウント部によりカウントされた回数に応じた結果を表示する結果表示部と、
を備えたことを特徴とする、防犯装置。
【請求項２】
さらに、前記結果表示部に結果を表示させる操作を行うための表示操作部を備え、
前記結果表示部は、前記表示操作部が操作されたときのみ、前記結果を表示することを特徴とする、請求項１に記載の防犯装置。
【請求項３】
前記開始操作部と前記表示操作部の少なくとも一方は、鍵により操作することを特徴とする、請求項２に記載の防犯装置。
【請求項４】
前記結果表示部は、
前記検知回数カウント部によりカウントされた回数が１以上であるときの第１結果と、
前記検知回数カウント部によりカウントされた回数が０であるときの第２結果と、
のいずれかを前記結果として表示することを特徴とする、請求項１〜３のいずれかに記載の防犯装置。
【請求項５】
前記結果表示部は、
前記検知回数カウント部によりカウントされた回数を前記結果として表示することを特徴とする、請求項１〜４のいずれかに記載の防犯装置。
【請求項６】
さらに、前記人感センサ部による検知からの経過時間を表示する経過時間表示部を備えたことを特徴とする、請求項１〜５のいずれかに記載の防犯装置。
【請求項７】
前記検知回数カウント部は、前記人感センサ部による検知から所定時間経過後に、その検知をカウントに反映させることを特徴とする、請求項１〜６のいずれかに記載の防犯装置。
【請求項８】
前記人感センサ部は、前記開始操作部が操作されてから所定時間経過後に、検知を開始することを特徴とする、請求項１〜７のいずれかに記載の防犯装置。
【発明の詳細な説明】
【技術分野】
【０００１】
本発明は、防犯装置にかかり、特に、家屋等への侵入の有無を判定するための防犯装置に関する。
【背景技術】
【０００２】
近年、ストーカー被害が問題となっている。最近ではストーカー行為の悪質化が進み、単に被害者を付け回す程度だけでなく、被害者の自宅に侵入するといった被害も報告されている。従来、このような問題に対処するために、家屋やその周辺に防犯カメラを設置することが行われていた（例えば、家屋への侵入警報装置について、引用文献１を参照のこと。）。防犯カメラを家屋やその周辺に目立つように設置することで、不審者の侵入を防止したり、万一被害に遭った場合でも、犯行を録画することで、犯人の検挙や被害の拡大の防止に役立つものであった。
【先行技術文献】
【特許文献】
【０００３】
【特許文献１】特開平１１−２９６７５５号公報
【発明の概要】
【発明が解決しようとする課題】
【０００４】
しかしながら、従来の防犯カメラでは、以下のような問題点があった。すなわち、防犯カメラを家屋やその周辺に目立つように設置してしまうことで、逆に防犯カメラに映らないようにしつつ、家屋に侵入されるおそれがあった。また、例えば帰宅後に防犯カメラの内容を確認するためには、記録内容を巻き戻して再生しなければならず、毎日行うことは非常に手間であった。また、防犯カメラを設置するのは、多大な費用や労力などの問題があり、より簡易な方法が求められていた。
【０００５】
そこで本発明は、このような問題に鑑みてなされたもので、その目的とするところは、家屋等への侵入者に目立つことなく設置でき、手間を掛けずに侵入者の有無を判定することができて安心感を得ることの可能な、新規かつ改良された防犯装置を提供することにある。
【課題を解決するための手段】
【０００６】
上記課題を解決するために、本発明によれば、人を検知する人感センサ部と、前記人感センサ部による検知を開始する操作を行うための開始操作部と、前記人感センサ部による検知の回数をカウントする検知回数カウント部と、前記検知回数カウント部によりカウントされた回数に応じた結果を表示する結果表示部と、を備えたことを特徴とする、防犯装置が提供される。
【０００７】
かかる構成によれば、侵入者の有無のみを判定するものであるため、簡易な構成とすることができ、家屋等への侵入者に目立つことなく設置することができる。また、結果表示部の表示によって、巻き戻し再生などの手間を掛けずに侵入者の有無を判定することができ、安心感を得ることが可能である。
【０００８】
本発明はさまざまな応用が可能である。例えば、さらに、前記結果表示部に結果を表示させる操作を行うための表示操作部を備え、前記結果表示部は、前記表示操作部が操作されたときのみ、前記結果を表示するようにしてもよい。表示操作部が操作されたときのみ結果表示部に結果を表示するようにしたので、侵入者に防犯装置の存在を気付かれにくくなり、不正操作等されることを防止することができる。
【０００９】
また、前記開始操作部と前記表示操作部の少なくとも一方は、鍵により操作するようにしてもよい。かかる構成によれば、ユーザ本人のみが操作を行うことができるので、侵入者などに不正操作されることを防ぐことができる。なお、ここで鍵とは、ユーザ本人のみが使用できるようにするためのものを総称するものとし、錠の穴に差し込む通常の鍵のほかに、暗証番号の入力なども含む。
【００１０】
また、結果表示部の表示の仕方は、どのようなものであってもよい。例えば、前記結果表示部は、前記検知回数カウント部によりカウントされた回数が１以上であるときの第１結果（侵入者あり）と、前記検知回数カウント部によりカウントされた回数が０であるときの第２結果（侵入者なし）と、のいずれかを前記結果として表示するようにしてもよい。また、前記結果表示部は、前記検知回数カウント部によりカウントされた回数を前記結果として表示するようにしてもよい。
【００１１】
また、さらに、前記人感センサ部による検知からの経過時間を表示する経過時間表示部を備えるようにしてもよい。かかる構成によれば、より正確な侵入者検知を行うことができる。また、ユーザ本人がこの装置に検知されたとしても、検知からの経過時間を確認することによって、ユーザ本人が誤って検知されたことを確認することができる。
【００１２】
また、前記検知回数カウント部は、前記人感センサ部による検知から所定時間経過後に、その検知をカウントに反映させるようにしてもよい。ユーザ本人が誤って検知されてしまっても、その検知がカウントに反映される前に、正しい結果を見ることができる。
【００１３】
また、前記人感センサ部は、前記開始操作部が操作されてから所定時間（例えば３分）経過後に、検知を開始するようにしてもよい。検知開始直後に、開始操作部を操作したユーザ本人が、誤って検知されてしまうことを防止することができる。
【発明の効果】
【００１４】
本発明によれば、家屋等への侵入者に目立つことなく設置でき、手間を掛けずに侵入者の有無を判定することができて安心感を得ることが可能である。本発明のその他の効果については、以下の発明を実施するための形態の項でも説明する。
【図面の簡単な説明】
【００１５】
【図１】第１の実施形態にかかる防犯装置の機能部を示す図である。
【図２】図１の防犯装置の一構成例を示す図である。
【図３】第２の実施形態にかかる防犯装置の機能部を示す図である。
【図４】図３の防犯装置の一構成例を示す図である。
【図５】第３の実施形態にかかる防犯装置の機能部を示す図である。
【図６】図５の防犯装置の一構成例を示す図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（第１の実施形態）
本発明の第１の実施形態について説明する。図１は、本実施形態にかかる防犯装置１００の機能部を示す図である。図２は、図１の防犯装置１００の構成例を示す図である。
【００１８】
本実施形態にかかる防犯装置１００は、図１及び図２に示したように、人を検知する人感センサ部１１０と、人感センサ部１１０による検知を開始する操作を行うための開始操作部１２０と、人感センサ部１１０による検知の回数をカウントする検知回数カウント部１３０と、検知回数カウント部１３０によりカウントされた回数に応じた結果を表示する結果表示部１４０とを備える。以下、順に説明する。
【００１９】
人感センサ部１１０は、この防犯装置１００の近傍における人の存在を検知するものであり、赤外線センサ、感熱センサなど任意のセンサのほか、カメラで撮影した動画又は静止画を画像処理することにより人の存在を検知するものであってもよい。人感センサ部１１０は、後述する開始操作部１２０が操作されると、検知を開始する。この際、直ちに検知を開始してもよく、あるいは、所定時間経過後に、検知を開始してもよい。所定時間（例えば３分）経過後に検知を開始するようにすると、検知開始直後に、ユーザーが検知されてしまう一種の誤検知を防止することができる。
【００２０】
開始操作部１２０は、人感センサ部１１０による検知を開始する操作を行うためのものであり、スイッチやボタンや鍵などで構成することができる。開始操作部１２０は、単に後述する検知回数カウント部１３０をリセットするためのものであってもよく、あるいは、電源のオンオフ機能を兼ね備えていてもよい。図２に示した例では、開始操作部１２０は鍵穴型をしており、ユーザが所持する鍵で操作することができる。開始操作部１２０を鍵で操作するようにすれば、侵入者による不正な操作を防止することができる。
【００２１】
検知回数カウント部１３０は、人感センサ部１１０による検知の回数をカウントするものであり、電子回路などで構成することができる。検知回数カウント部１３０は、開始操作部１２０からの信号を受けて操作を開始し、人感センサ部１１０からの信号を受けて検知の回数をカウントする。そして、カウントされた回数を、後段の結果表示部１４０に伝達する。本実施形態では、この検知回数カウント部１３０は、単に検知の回数をカウントする機能のみで足り、タイマ機能などを必要としないことから、比較的簡易な構成とすることができる。
【００２２】
結果表示部１４０は、検知回数カウント部１３０によりカウントされた回数に応じた結果を表示するものである。カウントされた回数に応じた結果の表示はさまざまなものが考えられるが、例えば以下のような表示とすることができる。
【００２３】
（１）侵入の有無を表示
検知回数カウント部１３０によりカウントされた回数が１以上であるときには、侵入者があったことを意味するので、その旨を表示する。例えば、結果表示部１４０に「侵入者あり」「危険」などと表示したり、危険を表す赤色表示にしたりする。一方、検知回数カウント部１３０によりカウントされた回数が０であるときは、侵入者がなかったことを意味するので、その旨を表示する。例えば、結果表示部１４０に「侵入者なし」「安全」などと表示したり、安全を表す青色表示にしたりする。
【００２４】
（２）侵入の回数を表示
検知回数カウント部１３０によりカウントされた回数を、結果表示部１４０に「０」、「１」、・・・のように表示する。表示が「０」であれば侵入者がなかったことが分かり、表示が「１」以上であれば、侵入者があったことが分かる。
【００２５】
なお、検知回数カウント部１３０は、人感センサ部１１０による検知から所定時間（例えば３分）経過後に、その検知をカウントに反映させるようにしてもよい。ユーザ本人が誤って検知されてしまっても、その検知がカウントに反映される前に、正しい結果を見ることができる。
【００２６】
以上、本実施形態にかかる防犯装置１００の構成について説明した。次に、防犯装置１００の使用方法について説明する。
【００２７】
防犯装置１００のユーザは、外出する際に、開始操作部１２０を鍵で操作して電源を入れる。開始操作部１２０を操作した鍵を所持した状態で外出する。帰宅した際には、結果表示部１４０を見て、侵入者があったかなかったかを確認することができる。侵入があった場合には、通報するなど適切な処置を取ることができ、また、侵入がなかった場合には、安心感を得ることができる。
【００２８】
（第１の実施形態の効果）
以上説明したように、本実施の形態によれば、侵入者の有無のみを判定するものであるため、簡易な構成とすることができる。また、結果表示部１４０の表示によって、巻き戻し再生などの手間を掛けずに侵入者の有無を判定することができ、安心感を得ることが可能である。
【００２９】
（第２の実施形態）
本発明の第２の実施形態について説明する。図３は、本実施形態にかかる防犯装置２００の機能部を示す図である。図４は、図３の防犯装置１００の構成例を示す図である。
【００３０】
上記第１の実施形態では、表示結果部１４０に結果を表示させる例について説明した。しかし、かかる構成では、侵入者が防犯装置１００の存在に気づいたときに、防犯装置１００を不正操作したり壊したり持ち去ったりするおそれがある。そこで、本実施形態では、防犯装置のユーザのみが結果を表示させることができる例について説明する。
【００３１】
本実施形態にかかる防犯装置２００は、図３及び図４に示したように、人を検知する人感センサ部２１０と、人感センサ部２１０による検知を開始する操作を行うための開始操作部２２０と、人感センサ部２１０による検知の回数をカウントする検知回数カウント部２３０と、検知回数カウント部２３０によりカウントされた回数に応じた結果を表示する結果表示部２４０と、結果表示部２４０に結果を表示させる操作を行うための表示操作部２５０とを備える。
【００３２】
防犯装置２００を構成する要素のうち、人感センサ部２１０、開始操作部２２０、検知回数カウント部２３０、及び結果表示部２４０については、上記第１の実施形態における人感センサ部１１０、開始操作部１２０、検知回数カウント部１３０、及び結果表示部１４０と実質的に同じものとすることができる。
【００３３】
（表示操作部２５０）
本実施形態に特徴的な表示操作部２５０について説明する。表示操作部２５０は、結果表示部２４０に結果を表示させる操作を行うためのものである。結果表示部２４０は、表示操作部２５０が操作されたときのみ、結果を表示する。表示操作部２５０は、スイッチやボタンや鍵などで構成することができる。図４に示した例では、表示操作部２５０はボタン型をしており、ユーザがこのボタンを押すことで、結果表示部２４０は、侵入の有無等に関する結果を表示する。
【００３４】
なお、図３及び図４では、開始操作部２２０と表示操作部２５０を別の構成要素として示しているが、これらを一体にして一つの操作部としてもよい。すなわち、一つの操作部をボタンや鍵などで操作し、操作されるごとに、検知回数カウント部２３０による検知の開始と、結果表示部２４０による結果の表示を繰り返したり、さらに、電源のオンオフもこの一つの操作部で行うようにしてもよい。
【００３５】
（第２の実施形態の効果）
以上説明したように、本実施形態によれば、上記第１の実施形態の効果に加え、表示操作部２５０が操作されたときのみ結果表示部２４０に結果を表示するようにしたので、侵入者に防犯装置２００の存在を気付かれにくくなり、不正操作されたり、壊されたり、持ち去られたりすることを防止することができる。
【００３６】
（第３の実施形態）
本発明の第３の実施形態について説明する。図５は、本実施形態にかかる防犯装置３００の機能部を示す図である。図６は、図５の防犯装置１００の構成例を示す図である。
【００３７】
上記第１の実施形態では、結果表示部１４０に、侵入者の有無に関する情報を表示させる例について説明した。本実施形態では、より有用な情報をあわせて表示できるようにした例について説明する。
【００３８】
本実施形態にかかる防犯装置３００は、図５及び図６に示したように、人を検知する人感センサ部３１０と、人感センサ部３１０による検知を開始する操作を行うための開始操作部３２０と、人感センサ部３１０による検知の回数をカウントする検知回数カウント部３３０と、検知回数カウント部３３０によりカウントされた回数に応じた結果を表示する結果表示部３４０と、結果表示部３４０に結果を表示させる操作を行うための表示操作部３５０と、人感センサ部３１０による検知からの経過時間を表示する経過時間表示部３６０とを備える。
【００３９】
防犯装置３００を構成する要素のうち、人感センサ部３１０、開始操作部３２０、検知回数カウント部３３０、及び結果表示部３４０については、上記第１の実施形態における人感センサ部１１０、開始操作部１２０、検知回数カウント部１３０、及び結果表示部１４０と実質的に同じものとすることができる。また、表示操作部３５０についても、上記第２の実施形態における表示操作部２５０と実質的に同じものとすることができる。
【００４０】
（経過時間表示部３６０）
本実施形態に特徴的な経過時間表示部３６０について説明する。経過時間表示部３６０は、人感センサ部３１０による検知からの経過時間を表示するものである。本実施形態では、経過時間表示部３６０を機能させるために、防犯装置３００の内部に計時機能（図示せず）を設けている。この計時機能は、現在時刻の情報を得るための機能であってもよく、あるいは、ある時点からの経過時間を計測する機能であってもよい。
【００４１】
図６の例では、経過時間を表示する表示窓を３つ設けている。この３つの表示窓に、例えば人感センサ３１０が検知した直近の３回分の経過時間を表示することができる。これにより、人感センサ３１０が検知した時刻を知ることができる。例えば、この経過時間表示部３６０に「２時間」と表示されていれば、２時間前に侵入者が検知されたと判断することができる。また、経過時間表示部３６０に「１分」と表示されていれば、侵入者ではなく、ユーザ自身を検知したものと判断することもできる。このようにして、より正確な侵入者の有無の検知を行うことができる。
【００４２】
（第３の実施形態の効果）
以上説明したように、本実施形態によれば、上記第１、第２の実施形態の効果に加え、経過時間表示部３６０を設けたことで、さらに正確な侵入者検知を行うことができる。
【００４３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４４】
例えば、防犯装置１００、２００、３００の電源は任意でよい。例えば、電池式や、配線からの交流電源や、他の装置に接続する（例えばコンピュータにＵＳＢで接続する）など、任意の形態で利用可能である。防犯装置１００、２００、３００を電池式にするために、防犯装置１００、２００、３００の背面に電池を挿入する部分を設けてもよい（図示せず）。
【００４５】
また、防犯装置１００、２００、３００は、どのような大きさ・形状であってもよく、また、どのような設置の仕方をしてもよい。例えば、防犯装置１００、２００、３００を単品で設置するほか、他の日用品や壁などに組み込んで使うことも可能である。ここでいう組み込むとは、例えば、人形の内部に設置するような構成的な組み込み方であってもよく、あるいは、時計やコンピュータの機能の一部として組み込むようなものであってもよい。特に、上記第３の実施形態の防犯装置３００においては、経過時間表示部３６０の実現のために、時計やコンピュータの計時機能を利用することも可能である。
【００４６】
また、一般的な防犯装置と同様の機能を付加してもよい。例えば、防犯装置１００、２００、３００にカメラを設け、人感センサ部１１０、２１０、３１０が検知したときに、カメラが作動して撮像するようにしてもよい。また、人感センサ部１１０、２１０、３１０が検知したときに、ユーザの携帯電話にメールで通知したり、警備会社等に報知したりするようにしてもよい。
【符号の説明】
【００４７】
１００  防犯装置（第１の実施形態）
１１０  人感センサ部
１２０  開始操作部
１３０  検知回数カウント部
１４０  結果表示部
２００  防犯装置（第２の実施形態）
２５０  表示操作部
３００  防犯装置（第３の実施形態）
３６０  経過時間表示部
【図１】
2015230718.tif 000003
【図２】
2015230718.tif 000004
【図３】
2015230718.tif 000005
【図４】
2015230718.tif 000006
【図５】
2015230718.tif 000007
【図６】
2015230718.tif 000008